(57)【要約】【課題】位置登録や着信待ち受けを正常に行い、無駄な電力消費を抑制することが可能な移動無線端末装置を提供する。【解決手段】制御部１００は、当該移動無線端末装置が送信ダイバーシチの受信機能を有しないにも関わらず、基地局ＢＳから送信ダイバーシチを示すパラメータ（ＴｘダイバーシチＣＬ１あるいはＣＬ２）を受信した場合に、パラメータをＮｏ Ｔｘダイバーシチと見なして、送受信部１０を制御して、ＤＣＨ受信を試みるようにしている。そして、ＤＣＨ受信に失敗した場合には、上記基地局ＢＳを予め定めた時間だけ、セルリセレクション処理やセルサーチ処理でのサーチ対象外として、サービングセルに選択されないようにしたものである。【選択図】      図１
2007124133.tif 000002
【特許請求の範囲】
【請求項１】
ネットワークに接続される基地局と無線通信する移動無線端末装置において、
サービングセルに属する基地局から第１のチャネルを通じて送信される送信方式を示す第１情報を受信する第１受信手段と、
この第１受信手段が受信した第１情報に基づいて、前記基地局が送信で用いる送信方式に当該移動無線端末装置の受信方式が対応しないことを検出する検出手段と、
この検出手段が対応しないことを検出した場合に、前記基地局から第２のチャネルを通じて当該移動無線端末装置に宛てて送信される第２情報を受信する第２受信手段と、
この第２受信手段が前記第２情報を受信できない場合に、前記基地局を識別する識別情報を記憶する記憶手段と、
前記第２受信手段が前記第２情報を受信できない場合に、前記記憶手段が記憶する識別情報に対応する基地局を除いて、セルサーチを行うセルサーチ手段とを具備することを特徴とする移動無線端末装置。
【請求項２】
ネットワークに接続される基地局と無線通信する移動無線端末装置において、
サービングセルに属する基地局から第１のチャネルを通じて送信される送信方式を示す第１情報を受信する第１受信手段と、
この第１受信手段が受信した第１情報に基づいて、前記基地局が送信で用いる送信方式に当該移動無線端末装置の受信方式が対応しないことを検出する検出手段と、
この検出手段が対応しないことを検出した場合に、前記基地局から第２のチャネルを通じて当該移動無線端末装置に宛てて送信される第２情報を受信する第２受信手段と、
この第２受信手段が前記第２情報を受信できない場合に、前記基地局を識別する識別情報を記憶する記憶手段と、
前記第２受信手段が前記第２情報を受信できない場合に、前記記憶手段が記憶する識別情報に対応する基地局を除いて、サービングセルに適するセルを検出し、サービングセルに設定するセルリセレクション手段とを具備することを特徴とする移動無線端末装置。
【請求項３】
前記記憶手段は、基地局を識別する識別情報を記憶してから予め設定した時間が経過した場合に、前記識別情報を記憶から消去することを特徴とする請求項１または請求項２に記載の移動無線端末装置。
【請求項４】
前記第２受信手段は、前記検出手段が対応しないことを検出した場合に、前記第１受信手段が受信した第１情報で示される送信方式が、当該移動無線端末装置の受信方式に対応するものとみなし、前記基地局から第２のチャネルを通じて当該移動無線端末装置に宛てて送信される第２情報を受信することを特徴とする請求項１または請求項２に記載の移動無線端末装置。
【発明の詳細な説明】
【技術分野】
【０００１】
この発明は、例えば３ＧＰＰ（3rd Generation Partnership Project）規格に準拠した携帯電話システムなどに用いられる移動無線端末装置に関する。
【背景技術】
【０００２】
周知のように、Ｗ−ＣＤＭＡ（Wideband Code Division Multiple Access）の３GPP規格TS25.331（無線プロトコル規格）において、基地局は送信ダイバシティを選択的に用いて送信が行えるように規定されている（例えば、非特許文献１参照）。このためには、基地局側の送信ダイバシティ信号を移動無線端末装置側で受信することが必要となっている。
【０００３】
しかしながら、上述した送信ダイバシティの規格は新しいものであるため、移動無線端末装置のモデムへの実装が間に合わず、実際には移動無線端末装置が送信ダイバシティ受信機能を備えていない場合がある。
【０００４】
そして基地局は、移動無線端末装置とのCapability交渉により送信ダイバシティ機能を選択するものではない。基地局は、移動無線端末装置に対して、ＦＡＣＨに送信ダイバシティ有りを示すパラメータを設定して送信を行う。
【０００５】
送信ダイバシティ受信機能を備えていない移動無線端末装置は、ＦＡＣＨに送信ダイバシティ有りを示すパラメータが設定されていた場合、次の位置登録のためのＤＣＨを受信せず、セル信号サーチとセル選択の各処理を実施し、再びＦＡＣＨの受信を行うようにしている。
【０００６】
このため、セル信号サーチとセル選択にて、再びＦＡＣＨを受信した基地局が選択された場合、同じＦＡＣＨ受信、セルサーチ、セル選択、そして再びＦＡＣＨ受信と同じ処理が無駄に繰返されることになり、移動無線端末装置の位置登録や着信待ち受けが正常に行えず、無駄な電力を消費するという問題があった。
【非特許文献１】３GPP規格TS25.331”RRC Protocol Specification”
【発明の開示】
【発明が解決しようとする課題】
【０００７】
従来の移動無線端末装置では、例えば送信ダイバシティ受信機能を備えていない場合に、基地局から通知される送信ダイバーシチ実施を示すパラメータの不整合に起因して、同じ処理が無駄に繰返され、位置登録や着信待ち受けが正常に行えず、無駄な電力を消費するという問題があった。
【０００８】
この発明は上記の問題を解決すべくなされたもので、基地局から通知されるパラメータに不整合があっても、位置登録や着信待ち受けを正常に行い、無駄な電力消費を抑制することが可能な移動無線端末装置を提供することを目的とする。
【課題を解決するための手段】
【０００９】
上記の目的を達成するために、この発明は、ネットワークに接続される基地局と無線通信する移動無線端末装置において、サービングセルに属する基地局から第１のチャネルを通じて送信される送信方式を示す第１情報を受信する第１受信手段と、この第１受信手段が受信した第１情報に基づいて、上記基地局が送信で用いる送信方式に当該移動無線端末装置の受信方式が対応しないことを検出する検出手段と、この検出手段が対応しないことを検出した場合に、上記基地局から第２のチャネルを通じて当該移動無線端末装置に宛てて送信される第２情報を受信する第２受信手段と、この第２受信手段が第２情報を受信できない場合に、上記基地局を識別する識別情報を記憶する記憶手段と、第２受信手段が第２情報を受信できない場合に、記憶手段が記憶する識別情報に対応する基地局を除いて、セルサーチを行うセルサーチ手段とを具備して構成するようにした。
【発明の効果】
【００１０】
この発明によれば、基地局から通知されるパラメータに不整合があっても、位置登録や着信待ち受けを正常に行い、無駄な電力消費を抑制することが可能な移動無線端末装置を提供できる。
【発明を実施するための最良の形態】
【００１１】
以下、図面を参照して、この発明の一実施形態について説明する。  
図１は、この発明の一実施形態に係わる移動無線端末装置の構成を示すものである。移動無線端末装置は、移動通信網に収容される基地局ＢＳとＷ−ＣＤＭＡ（Wideband Code Division Multiple Access）方式による無線通信を行うものであって、送受信部１０、信号処理部２０、記憶部３０および制御部１００を備えている。
【００１２】
送受信部１０は、ＲＦ受信部１１、ベースバンド復調部１２、ベースバンド変調部１３およびＲＦ送信部１４を備える。ＲＦ受信部１１は、基地局ＢＳから送信される無線信号がアンテナを通じて入力され、制御部１００より指定される周波数の無線信号をベースバンド信号にダウンコンバートする。
【００１３】
ベースバンド復調部１２は、制御部１００の指示に従って、受信に適したセルとのパスを検出し、この検出したパスをＲＡＫＥ受信するものであって、サーチ検出部１２ａとＲＡＫＥ受信部１２ｂを備える。サーチ検出部１２ａは、制御部１００の指示に従って、受信に適したセルとのパスを検出する。
【００１４】
ＲＡＫＥ受信部１２ｂは、サーチ検出部１２ａが検出したパスをＲＡＫＥ受信するものであって、例えば図２に示すように構成され、フィンガ受信機２０１〜２０３と、自動周波数制御回路（ＡＦＣ）２０４と、周波数引込検出部２０５と、合成部２０６とを備える。
【００１５】
フィンガ受信機２０１〜２０３は、例えば図２に示すような、サーチ検出部１２ａが検出したパスＡ、Ｂ、Ｃが、制御部１００によってそれぞれ１つずつ割り当てられ、この割り当てられたパスをそれぞれ受信する。またフィンガ受信機２０１〜２０３は、それぞれ割り当てられたパスから当該移動無線端末装置と基地局ＢＳとの間の周波数誤差を検出し、この検出結果を自動周波数制御回路２０４に出力する。
【００１６】
自動周波数制御回路２０４は、フィンガ受信機２０１〜２０３から通知される周波数誤差に基づいて、ＲＦ受信部１１の受信周波数を制御し、上記周波数誤差が極小となるように周波数引き込みを行う。  
周波数引込検出部２０５は、自動周波数制御回路２０４による周波数引き込みの完了を検出し、制御部１００に通知する。
【００１７】
合成部２０６は、フィンガ受信機２０１〜２０３の受信結果をＲＡＫＥ合成する。この合成結果は、後段の信号処理部２０の復号部２１にて復号され、受信データが得られる。  一方、送信データは、信号処理部２０の符号化部２２にて生成される。  
ベースバンド変調部１３は、上記送信データを用いて搬送波信号を変調し、この変調されたベースバンド信号をＲＦ送信部１４に出力する。ＲＦ送信部１４は、変調されたベースバンド信号に拡散処理を施して、無線周波数にアップコンバートし、アンテナより空間に放射する。
【００１８】
記憶部３０は、当該移動無線端末装置の制御プログラムや制御データ（例えば整合フラグなど）を記憶するものであって、この他に、パスサーチの対象外となるセルのＰＳＣコードのリストを記憶する禁止セルリスト記憶エリア３０ａと、セルをパスサーチの対象外とする時間を示す制限時間情報を記憶する禁止セルタイマ記憶エリア３０ｂとを備える。
【００１９】
制御部１００は、当該移動無線端末装置の各部を統括して制御するものであって、記憶部３０が記憶する制御プログラムや制御データなどにしたがって、基地局ＢＳとの間でＷ−ＣＤＭＡ方式による無線通信を実現させるものである。
【００２０】
次に、上記構成の移動無線端末装置の動作について説明する。ここでは特に、着信待ち受け中に実施される、セル検出、セル選択およびＤＣＨ受信に関わる処理について説明する。図４乃至図６は、上記処理を説明するためのフローチャートで、これを制御部１００が、記憶部３０に記憶される制御プログラムや制御データなどにしたがって実施する。
【００２１】
待ち受け状態になると、まずステップ４ａにおいて制御部１００は、禁止セルリスト記憶エリア３０ａに記憶される情報に基づいて、送受信部１０を制御し、サービングセルを変更するためのリセレクション処理を実行して、新しいサービングセルを決定し、ステップ４ｂに移行する。上記リセレクション処理の詳細について、図５を参照して後述する。
【００２２】
ステップ４ｂにおいて制御部１００は、上記リセレクション処理に伴いゾーン変更、すなわち前回のサービングセルと異なるゾーンのセルがサービングセルとして選択されたか否かを判定する。ここでゾーン変更が生じた場合には、ステップ４ｃに移行し、一方、ゾーン変更が生じていない場合には、ステップ４ｊに移行する。  
ステップ４ｃにおいて制御部１００は、送受信部１０を制御し、ステップ４ａの処理で選択した基地局ＢＳからのＢＣＨを受信し、ステップ４ｄに移行する。
【００２３】
ステップ４ｄにおいて制御部１００は、送受信部１０を制御し、基地局ＢＳに宛ててＲＡＣＨを送信し、そして、基地局ＢＳからのＦＡＣＨを受信して、ステップ４ｅに移行する。なお、上記ＦＡＣＨには、基地局ＢＳのＴｘダイバーシチのパラメータが含まれる。このパラメータは、Ｎｏ Ｔｘダイバーシチ、ＴｘダイバーシチＣＬ１、あるいはＴｘダイバーシチＣＬ２を示す情報である。
【００２４】
ステップ４ｅにおいて制御部１００は、整合フラグを「０」にリセットした後、記憶部３０が記憶する制御データのうち、当該移動無線端末装置のダイバーシチ受信機能を示すパラメータを読み出し、これがステップ４ｄで受信したＴｘダイバーシチのパラメータに整合するか否かを判定する。ここで、両パラメータが整合する場合には、ステップ４ｇに移行し、一方、整合しない場合には、整合フラグを「１」にセットし、ステップ４ｆに移行する。
【００２５】
例えば、基地局ＢＳのＴｘダイバーシチのパラメータにより、３ＧＰＰ（3rd Generation Partnership Project）規格TS25.331（無線プロトコル規格）のＴｘダイバーシチＣＬ１、あるいはＴｘダイバーシチＣＬ２が示される場合に、これらの送信ダイバーシチに当該移動無線端末装置が対応する受信機能を持たない場合には、パラメータが整合しないため、ステップ４ｆに移行することになる。
【００２６】
ステップ４ｆにおいて制御部１００は、パラメータが整合しなくても、ステップ４ｄで基地局ＢＳから受信したパラメータをＮｏ Ｔｘダイバーシチと見なして受信を行うように、送受信部１０の受信系を制御し、ステップ４ｇに移行する。  
ステップ４ｇにおいて制御部１００は、送受信部１０の受信系を制御し、基地局ＢＳからのＤＣＨを受信し、ステップ４ｈに移行する。
【００２７】
ステップ４ｈにおいて制御部１００は、ステップ４ｇにて基地局ＢＳからＤＣＨが受信できたか否かを判定する。ここでＤＣＨが受信できた場合には、位置登録などを行う処理に移行し、一方、受信できない場合には、ステップ４ｉに移行する。
【００２８】
ステップ４ｉにおいて制御部１００は、記憶部３０の整合フラグを参照し、これに「０」が設定される場合に、ステップ４ｊに移行し、一方、「１」が設定される場合には、ステップ４ａで選択したセルのＰＳＣ（Primary Scrambling Code）を禁止セルリスト記憶エリア３０ａに記録するとともに、この記録を継続させる時間（例えば５分）を示す制限時間情報を上記ＰＳＣに対応づけて禁止セルタイマ記憶エリア３０ｂに記録し、ステップ４ｊに移行する。
【００２９】
なお、制御部１００は、図４に示す処理とは別に、禁止セルタイマ記憶エリア３０ｂに記録された制限時間情報を定期的に監視し、制限時間情報で定められる時間が経過した場合には、この制限時間情報に対応するＰＳＣを禁止セルリスト記憶エリア３０ａから削除する処理を行う。
【００３０】
ステップ４ｊにおいて制御部１００は、禁止セルリスト記憶エリア３０ａに記憶される情報に基づいて、送受信部１０を制御し、セルサーチ処理を実施して、通信に有望と思われるセルを複数検出し、ステップ４ｋに移行する。上記セルサーチ処理の詳細について、図６を参照して後述する。
【００３１】
ステップ４ｋにおいて制御部１００は、ステップ４ｊのセルサーチ処理により、セルが検出できたか否かを判定する。ここで、セルが検出できた場合には、ステップ４ａに移行し、一方、セルが検出できない場合には、圏外処理を実行する。
【００３２】
次に、図５を参照して、上記ステップ４ａで実施されるリセレクション処理について説明する。  
当該リセレクション処理が開始されると、まずステップ５ａにおいて制御部１００は、送受信部１０を制御し、サービングセルからのＢＣＨを受信し、ステップ５ｂに移行する。
【００３３】
ステップ５ｂにおいて制御部１００は、送受信部１０を制御するとともに、サーチ検出部１２ａにサービングセルのセルサーチを実行するように指示し、ステップ５ｃに移行する。これによりサーチ検出部１２ａは、ＲＦ受信部１１が受信した信号から、サービングセルの検出を行う。
【００３４】
このサービングセルの検出では、例えば図３に示したように、これまでに検出されている既知のコードタイミングパスＡ，Ｂ，Ｃを中心としてサーチを行うパスサーチを行う。またここではサーチの対象がサービングセルであるため、上記パスサーチの結果のうち、有望な３つのパスがフィンガ受信機２０１，２０２，２０３にそれぞれ割り当てられ、受信が行われる。そしてフィンガ受信機２０１，２０２，２０３にてそれぞれ検出された周波数誤差が自動周波数制御回路２０４に入力され、周波数引き込みが行われる。そして周波数引込検出部２０５によって、上記周波数引き込みの完了が検出され、制御部１００に通知される。
【００３５】
ステップ５ｃにおいて制御部１００は、周波数引込検出部２０５より上記周波数引き込みの完了が通知されると、送受信部１０を制御するとともに、サーチ検出部１２ａに周辺セルのセルサーチを実行するように指示し、ステップ５ｄに移行する。これによりサーチ検出部１２ａは、ＲＦ受信部１１が受信した信号から、周辺セルの検出を行う。
【００３６】
この周辺セルの検出では、既に周辺セルのＰＳＣコードが検出されている場合には、ステップ５ｂのサービングセルサーチと同様にして、既知のパスを中心としたパスサーチを行う。ただし、ここではサーチの対象がサービングセルではないため、フィンガ受信機２０１，２０２，２０３への受信割り当ては行わず、パスパワーの合計値としてSqualとSrxleなどのセルパワーを検出し、これを記憶する。
【００３７】
一方、周辺セルのＰＳＣコードが検出されていない、すなわち未知の場合には、３ＧＰＰ規格TS25.213のＰ−ＳＣＨコード検出であるＳＴＥＰ１検出、３ＧＰＰ規格TS25.213のＳ−ＳＣＨコード検出であるＳＴＥＰ２検出、３ＧＰＰ規格TS25.213のＰＳＣ検出であるＳＴＥＰ３検出が行われる。なお、ステップ５ｃにてＰＳＣが検出されたセルは、次回のセルサーチでは既知のセルとして扱われる。
【００３８】
ステップ５ｄにおいて制御部１００は、ステップ５ｂで検出したフィンガ受信機２０１，２０２，２０３に割り当てているパスのSqualとSrxleとステップ５ｃで検出したSqualとSrxleとを３ＧＰＰ規格TS25.304にしたがって比較して、セルリセレクションの評価を行う。
【００３９】
なお、このセルリセレクションの評価に先立って、制御部１００は、禁止セルリスト記憶エリア３０ａに記憶されるＰＳＣコードのセルについては、SqualとSrxleをそれぞれマイナスの整数値（例えば−１２７）を設定する。
【００４０】
そして、セルリセレクションの評価では、Squal＞０かつSrxle＞０で、なおかつサービングセルのSqualやSrxleに比べて、最も大きい値のSqualとSrxleが得られるセルをサービングセルとして選択し、ステップ５ｅに移行する。
【００４１】
ステップ５ｅにおいて制御部１００は、サービングセルの変更が生じたか否かを判定する。ここで、サービングセルの変更が生じた場合には、ステップ５ｆに移行し、一方、サービングセルの変更が生じない場合には、ステップ４ｂに移行する。
【００４２】
ステップ５ｆにおいて制御部１００は、サービングセルの変更に伴い、無線ゾーンが変更して、位置登録の必要が生じたか否かを判定する。ここで、位置登録の必要が生じた場合には、ステップ４ｂに移行し、一方、位置登録の必要が生じない場合には、ステップ５ａに移行する。
【００４３】
次に、図６を参照して、上記ステップ４ｊで実施されるセルサーチ処理について説明する。  
当該セルサーチ処理が開始されると、まずステップ６ａにおいて制御部１００は、送受信部１０を制御し、サーチ対象となる周波数を設定し、ステップ６ｂに移行する。これによりＲＦ受信部１１は、制御部１００によって設定された周波数を受信する。
【００４４】
ステップ６ｂにおいて制御部１００は、サーチ検出部１２ａに対して、ＲＳＳＩ（Received Signal Strength Indicator）の検出を指示し、ステップ６ｃに移行する。これにより、サーチ検出部１２ａは、ＲＦ受信部１１によって受信される信号のＲＳＳＩの値ＲｘＲＳＳＩを検出する。
【００４５】
ステップ６ｃにおいて制御部１００は、ステップ６ｂにてサーチ検出部１２ａによって検出されたＲｘＲＳＳＩが、予め設定された閾値Ｔｈ０以上の場合には、ステップ６ｄに移行し、一方、上記ＲｘＲＳＳＩが、予め設定された閾値Ｔｈ０未満の場合には、ステップ６ｌに移行する。
【００４６】
ステップ６ｄにおいて制御部１００は、サーチ検出部１２ａに対して、３ＧＰＰ規格TS25.213のＰ−ＳＣＨコード検出であるＳＴＥＰ１検出を行うように指示し、ステップ６ｅに移行する。これによりサーチ検出部１２ａは、ＲＦ受信部１１によって受信される信号から上記ＳＴＥＰ１検出を実施し、上記Ｐ−ＳＣＨコードタイミングを検出する。
【００４７】
ステップ６ｅにおいて制御部１００は、ステップ６ｄのＳＴＥＰ１検出の結果検出パワーＲｘＳＴＥＰ１が、予め設定された閾値Ｔｈ１以上の場合には、ステップ６ｆに移行し、一方、上記検出結果パワーＲｘＳＴＥＰ１が、予め設定された閾値Ｔｈ１未満の場合には、ステップ６ｌに移行する。
【００４８】
ステップ６ｆにおいて制御部１００は、サーチ検出部１２ａに対して、３ＧＰＰ規格TS25.213のＳ−ＳＣＨコード検出であるＳＴＥＰ２検出を行うように指示し、ステップ６ｇに移行する。これによりサーチ検出部１２ａは、ＲＦ受信部１１によって受信される信号から上記ＳＴＥＰ２検出を実施し、上記Ｓ−ＳＣＨコードを検出し、群同定とフレームタイミングの検出を行う。
【００４９】
ステップ６ｇにおいて制御部１００は、ステップ６ｆのＳＴＥＰ２検出の結果検出パワーＲｘＳＴＥＰ２が、予め設定された閾値Ｔｈ２以上でフレームタイミングが検出できた場合には、ステップ６ｈに移行し、一方、上記検出の結果検出パワーＲｘＳＴＥＰ２が、予め設定された閾値Ｔｈ２未満でフレームタイミングが検出できない場合には、ステップ６ｌに移行する。
【００５０】
ステップ６ｈにおいて制御部１００は、サーチ検出部１２ａに対して、３ＧＰＰ規格TS25.213のＰＳＣ検出であるＳＴＥＰ３検出を行うように指示し、ステップ６ｉに移行する。これによりサーチ検出部１２ａは、ＲＦ受信部１１によって受信される信号から上記ＳＴＥＰ３検出を実施し、上記ＰＳＣコードを検出する。
【００５１】
ステップ６ｉにおいて制御部１００は、ステップ６ｈのＳＴＥＰ３検出の結果検出パワーＲｘＳＴＥＰ３が、予め設定された閾値Ｔｈ３以上の場合には、ＰＳＣが検出できたものとしてステップ６ｊに移行し、一方、上記検出の結果検出パワーＲｘＳＴＥＰ３が、予め設定された閾値Ｔｈ３未満の場合には、ＰＳＣが検出できなかったものとしてステップ６ｌに移行する。
【００５２】
ステップ６ｊにおいて制御部１００は、ＲＡＫＥ受信部１２ｂに対して、周波数引き込みを行うように指示し、ステップ６ｋに移行する。これによりＲＡＫＥ受信部１２ｂでは、フィンガ受信機２０１〜２０３は当てられたパスをそれぞれ受信し、周波数誤差を検出する。また自動周波数制御回路２０４が、上記周波数誤差に基づいて周波数引き込みを実施し、周波数引込検出部２０５が周波数引き込みの完了を監視する。
【００５３】
ただしステップ６ｊにおいて制御部１００は、ステップ６ｉで検出されたＰＳＣコードが、禁止セルリスト記憶エリア３０ａに記憶される場合には、ＲＡＫＥ受信部１２ｂに対して、周波数引き込みの指示は行わず、ステップ６ｋに移行する。
【００５４】
ステップ６ｋにおいて制御部１００は、ステップ６ｊで開始された周波数引き込みの完了が周波数引込検出部２０５によって検出されたか否かを判定する。ここで、周波数引き込みの完了が検出された場合には、ステップ４ｋに移行し、一方、周波数引き込みの完了が検出されない場合には、ステップ６ｌに移行する。
【００５５】
ステップ６ｌにおいて制御部１００は、今回の当該処理において、ステップ６ａで周波数設定を行っていない候補となる周波数があるか否かを判定する。ここで、候補となる周波数がある場合には、ステップ６ａに移行し、一方、候補となる周波数がない場合には、圏外処理を実行する。
【００５６】
以上のように、上記構成の移動無線端末装置では、送信ダイバーシチの受信機能を有しないにも関わらず、基地局ＢＳから送信ダイバーシチを示すパラメータ（ＴｘダイバーシチＣＬ１あるいはＣＬ２）を受信した場合に、パラメータをＮｏ Ｔｘダイバーシチと見なして、ＤＣＨ受信を試みるようにしている。しかしながら、この場合、例えば基地局ＢＳとの位置関係により、再送を繰り返しても１００％受信できるとは限らない。
【００５７】
このため、上記構成の移動無線端末装置では、ＤＣＨ受信に失敗した場合には、上記基地局ＢＳを予め定めた時間だけ、セルリセレクション処理（ステップ４ａ）やセルサーチ処理（ステップ４ｊ）でのサーチ対象外として、サービングセルに選択されないようにしている。
【００５８】
したがって、上記構成の移動無線端末装置によれば、送信ダイバーシチの受信機能を有しないにも関わらず、送信ダイバーシチを要求する基地局ＢＳからのＤＣＨ受信を試みることができ、またＤＣＨ受信が失敗した場合には、他の基地局ＢＳをサービングセルとすることができるので、位置登録や着信待ち受けを正常に行い、無駄な電力消費を抑制することができる。
【００５９】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【図面の簡単な説明】
【００６０】
【図１】この発明に係わる移動無線端末装置の一実施形態の構成を示す回路ブロック図。
【図２】図１に示した移動無線端末装置のＲＡＫＥ受信部の構成を示す回路ブロック図。
【図３】図２に示したＲＡＫＥ受信部で受信するパスを説明するための図。
【図４】図１に示した移動無線端末装置の着信待ち受け時の動作を説明するためのフローチャート。
【図５】図４に示したセルのリセレクション処理を説明するためのフローチャート。
【図６】図４に示したセルサーチ処理を説明するためのフローチャート。
【符号の説明】
【００６１】
１０…送受信部、１１…ＲＦ受信部、１２…ベースバンド復調部、１２ａ…サーチ検出部、１２ｂ…ＲＡＫＥ受信部、１３…ベースバンド変調部、１４…ＲＦ送信部、２０…信号処理部、２１…復号部、２２…符号化部、３０…記憶部、３０ａ…禁止セルリスト記憶エリア、３０ｂ…禁止セルタイマ記憶エリア、１００…制御部、２０１，２０２，２０３…フィンガ受信機、２０４…自動周波数制御回路（ＡＦＣ）、２０５…周波数引込検出部、２０６…合成部、ＢＳ…基地局。
【図１】
2007124133.tif 000003
【図２】
2007124133.tif 000004
【図３】
2007124133.tif 000005
【図４】
2007124133.tif 000006
【図５】
2007124133.tif 000007
【図６】
2007124133.tif 000008